(57)【特許請求の範囲】
【請求項１】
運転状態を表示する表示装置と、
待機時に前記表示装置を表示状態に維持する表示モードと前記待機時に前記表示装置を非表示状態に維持する節電モードを選択する選択スイッチと、加熱庫を開閉する扉を具備する加熱調理器に於いて、
運転開始前に前記選択スイッチで選択されている前記節電モード又は前記表示モードに各別に対応する節電モード情報又は表示モード情報を記憶する記憶手段を備え、
運転終了後に前記扉が開放状態に設定時間放置された時点で前記記憶手段が節電モード情報を記憶している場合には、前記表示装置を非表示状態に維持する一方、
運転終了後に前記扉が開放状態に設定時間放置された時点で前記記憶手段が表示モード情報を記憶している場合には、前記表示装置を表示状態に維持する加熱調理器。
【請求項２】
請求項１に記載の加熱調理器に於いて、
前記選択スイッチは、前記節電モードを選択するために設定時間だけ継続操作する第１スイッチと、前記表示モードを選択する為の第２スイッチとの、２つのスイッチの組み合わせである加熱調理器。
【発明の詳細な説明】
【０００１】
【発明の属する技術分野】
この発明は、運転が停止した待機時に表示装置の表示を消して節電し得るようにした加熱調理器に関するものであり、例えば、電子レンジとオーブンの機能を兼備する加熱調理器（以下、「オーブンレンジ」という。）に適用できる。
【０００２】
【従来の技術】
オーブンレンジ等の加熱調理器では、加熱調理が終了するまでの残時間等を表示する表示装置が器具前面等の見易い部分に設けられている。
この表示装置としては、蛍光表示管や液晶板等を利用したものがあり、運転（加熱調理）が行われない待機時には、上記表示装置に現在時刻等を表示できるようにしている。
これにより、現在時刻等だけでなく、加熱調理器が通電状態にあることを使用者に認識させ得るようにしている。
【０００３】
一方、蛍光表示管やバックライトで照明される液晶表示板を利用した表示装置は消費電力が大きいことから、上記待機時に前記表示装置の表示を消して節電を図れるようにしたものがある。
このため、運転が行われない待機時には表示装置を非表示状態に維持する節電モードと前記待機時に表示装置を表示状態に維持する表示モードとを択一的に選択する為の選択スイッチが設けられている。
尚、システムキッチンのカウンタートップに開設された開口に落とし込み状態に装着されるコンロと一体化された形式のオーブンレンジでは、前記コンロの下部に組み込まれて元電源スイッチが隠れているため、元電源を切って節電を図ることが困難であり、節電の為の前記選択スイッチの必要性が特に大きい。
【０００４】
【発明が解決しようとする課題】
しかしながら、上記従来のものでは、選択スイッチで節電モードが選択された状態で運転（加熱調理）を行わせると、表示装置が強制的に表示状態に切り替えられて該表示装置に運転の進行状態が表示されるが、該運転が終了した後の待機時になっても、表示装置が非表示状態に戻らない。
これは、加熱調理器が運転状態に移行したときは、上記選択スイッチの操作状態に関わらず画一的に表示モードにセットされるだけでなく、更に、上記運転開始前に選択されていた節電モード等の情報が記憶されておらず、該表示装置を運転開始前の状態に復帰させることができないからである。
【０００５】
従って、上記従来のものでは、運転開始前の節電モードに戻す為には運転終了後に再度選択スイッチを操作する必要があり、使い勝手が悪いという問題があった。
【０００６】
本発明は上記の点に鑑みてなされたもので、
『運転状態を表示する表示装置と、
待機時に前記表示装置を表示状態に維持する表示モードと前記待機時に前記表示装置を非表示状態に維持する節電モードを選択する選択スイッチと、加熱庫を開閉する扉を具備する加熱調理器』に於いて、
運転終了後、特に、運転終了後に開閉扉が開放状態に放置された場合は、モード選択状態を運転開始前の状態に復帰させることにより、表示装置を運転開始前の初期状態に戻せるようにすることを課題とする。
〈１項〉
【０００７】
【課題を解決するための手段】
上記課題を解決するための本発明の技術的手段は、
『運転開始前に前記選択スイッチで選択されている前記節電モード又は前記表示モードに各別に対応する節電モード情報又は表示モード情報を記憶する記憶手段を備え、
運転終了後に前記扉が開放状態に設定時間放置された時点で前記記憶手段が節電モード情報を記憶している場合には、前記表示装置を非表示状態に維持する一方、
運転終了後に前記扉が開放状態に設定時間放置された時点で前記記憶手段が表示モード情報を記憶している場合には、前記表示装置を表示状態に維持する』ことである。
【０００８】
本発明の発明特定事項たる「待機時」とは、加熱調理器が運転停止状態にある時を意味する。
例えば、予め準備された複数の調理メニューから特定の調理メニューを選択した後に加熱調理を実際に開始させる加熱調理器では、当該加熱調理が実際に開始する前であっても、又、前記特定の調理メニューを選択する前であっても、前記「待機時」の概念に含まれる。
【０００９】
上記技術的手段によれば、運転開始前の待機時に節電モードが選択スイッチで選択されている場合には、これに対応する節電モード情報を記憶手段に記憶させる。
この状態で運転が始まると、既述従来のものと同様に運転状態が表示装置に表示される。
又、運転終了後に扉が開放され、この状態に設定時間放置されたときには、記憶手段が記憶している節電モード情報に基づいて表示装置が非表示状態に維持される。
【００１０】
他方、上記運転終了後に扉が開放状態に設定時間放置された時点で記憶手段が表示モードを示す表示モード情報を記憶している場合は、該表示モード情報に基づいて表示装置が表示状態に維持される。
このように、上記技術的手段によれば、運転終了後に開閉扉が開放状態に設定時間放置された場合には、モード選択状態を運転開始前の状態に復帰させることができる。
【００１１】
【発明の効果】
本発明は、上記構成であるから次の特有の効果を有する。
運転終了後に開閉扉が開放状態に設定時間放置された場合には、モード選択状態を運転開始前の状態に復帰させることができるから、表示装置を運転開始前の初期状態に戻すことができる。
従って、運転開始前の節電モードに戻す為に運転終了後に節電モードを再度選択する煩雑な操作が不要になり、機器の使い勝手が良くなる。
〈２項〉
前記１項の加熱調理器に於いて、
『前記選択スイッチは、前記節電モードを選択するために設定時間だけ継続操作する第１スイッチと、前記表示モードを選択する為の第２スイッチとの、２つのスイッチの組み合わせである』ものとすることができる。
【００１２】
このようにすると、上記第１スイッチを設定時間だけ継続操作しない限り節電モードに切り替えることができないから、清掃時等に於いて前記第１スイッチが誤って一時的に押されても表示装置が非表示状態になる不都合がない。
【００１３】
【発明の実施の形態】
次に、上記発明の実施の形態を説明する。
図１は、本発明の実施の形態に係る加熱調理器たるオーブンレンジの正面図であり、上下に回動される扉(10)の上端近傍には取っ手(11)が配設されていると共に、該扉(10)の上方の操作部(12)には、調理スタートスイッチ(15)と、運転動作たる加熱調理動作を強制中止させる場合等に操作する取消スイッチ(17)が配設されている。
又、操作部(12)には、調理メニューを選択する解凍スイッチ(25)と、あたためスイッチ(26)と、更に茹で物スイッチ(27)が配設されていると共に、これら解凍スイッチ(25)，あたためスイッチ(26)及び茹で物スイッチ(27)の操作部の近傍には表示ランプ(35)(36)(37)が配設されている。
又、上記扉(10)の上方近傍には、現在時刻や運転状態を表示する表示装置(21)が配設されていると共に、該表示装置(21)の近傍には、時刻合わせモードに切り替える際に操作する時刻合わせスイッチ(31)と、調理時間や現在時刻を設定変更する際に操作するアップスイッチ(32)及びダウンスイッチ(33)が配設されている。
【００１４】
図２は、上記スイッチ等の電気配線状態を示す回路図である。
マイクロコンピュータ等が組み込まれた制御装置(5) には、上記調理スタートスイッチ(15)等の各スイッチが接続されていると共に、調理時間や現在時刻を設定する為のアップスイッチ(32)とダウンスイッチ(33)を具備するカウンター(30)が接続されている。
【００１５】
又、制御装置(5) の出力部には陰極と陽極の間に電位差を生じさせて点灯させる蛍光表示管式の表示装置(21)が接続されていると共に、該表示装置(21)は表示制御手段を構成する表示用スイッチ(23)のコレクタ回路に配設されている。従って、表示用スイッチ(23)がＯＦＦ状態にあるときは節電モードになって、表示装置(21)が消灯して非表示状態に保たれる。尚、上記表示装置(21)は、加熱調理が行われていない待機時には現在時刻を表示する一方、加熱調理が行われている運転時には調理終了までの残時間や調理温度等の運転状態を表示する。
【００１６】
又、上記表示用スイッチ(23)のコレクタ回路には、表示ランプ(35)(36)(37)が並列状態で接続されていると共に、これら表示ランプ(35)(36)(37)は制御装置(5)からの信号でＯＮ・ＯＦＦされるようになっている。
更に、制御装置(5)には、本実施の形態に係るオーブンレンジの庫内(19)（既述発明特定事項の「加熱庫」に対応する）を加熱するガスバーナ(41)へのガス回路に配設された元弁(430)及び電磁開閉弁(43)と、上記庫内(19)内の食材に電磁波を照射するマグネトロン(45)が接続されている。
【００１７】
上記制御装置(5)に組み込まれたマイクロコンピュータ内には、図３〜図５に示す内容の制御プログラムが格納されており、以下、上記オーブンレンジの動作を前記図３〜図５に従って説明する。
図示しない電源コンセントが接続されて元電源がＯＮ状態になると、ステップ(ST1)で表示用スイッチ(23)のベースに「Ｈ」信号を印加し、これにより、表示装置(21)に電源供給してこれを表示状態にする。
又、節電モード情報や表示モード情報を記憶する記憶手段としての表示モードフラグＦ1 に「表示モード情報」を記憶させると共に、使用者が選択した調理メニューを判断する為に使用する調理メニューフラグＦ2 を「１」に初期設定する。
尚、調理メニューフラグＦ2 の内容が「１」の場合は解凍調理が選択されたことを意味し、「２」の場合はあたため調理が選択されたことを意味し、更に、「３」の場合は茹で物調理が選択されたことを意味する。
【００１８】
又、ステップ(ST1) ではマイクロコンピュータに内蔵されたタイマー(T1)を「０」にセットする。
次に、ステップ(ST2) (ST4) (ST6) で解凍スイッチ(25)，あたためスイッチ(26)，茹で物スイッチ(27)が操作されるのを監視する。該解凍スイッチ(25)が操作されたことがステップ(ST2) で確認されると、ステップ(ST3) で調理メニューフラグＦ2 に「１」を記憶させて、解凍調理のメニューが選択されたことを記憶する。そして、解凍スイッチ(25)が操作されたことを表示する表示ランプ(35)を点灯させる。一方、あたためスイッチ(26)が操作されたことがステップ(ST4) で確認されると、ステップ(ST5) で調理メニューフラグＦ2 に「２」を記憶させて、あたため調理のメニューが選択されたことを記憶する。そして、あたためスイッチ(26)が操作されたことを表示する表示ランプ(36)を点灯させる。更に、茹で物スイッチ(27)が操作されたことがステップ(ST6) で確認されると、ステップ(ST7) で調理メニューフラグＦ2 に「３」を記憶させて、茹で物調理のメニューが選択されたことを記憶する。そして、茹で物スイッチ(27)が操作されたことを表示する表示ランプ(37)を点灯させる。
【００１９】
次に、ステップ(ST8) でタイマー(T1)を「０」にセットし、調理スタートスイッチ(15)が操作されるのをステップ(ST9) で５分間だけ監視する。そして、上記タイマー(T1)の計測時間が５分になるまで調理スタートスイッチ(15)が操作されないと、ステップ(ST10)からステップ(ST11)に進んで表示モードフラグＦ1 が「節電モード情報」を記憶しているか否かを判断し、該「節電モード情報」を記憶している場合は表示用スイッチ(23)をＯＦＦにした後（ステップ(ST12)）、再びステップ(ST2) に制御を戻して解凍スイッチ(25)，あたためスイッチ(26)及び茹で物スイッチ(27)が操作されるのを監視する。
【００２０】
一方、上記５分以内に調理スタートスイッチ(15)が操作されたことがステップ(ST9) で確認されると、図５のステップ(ST20)で調理メニューフラグＦ2 の内容に応じて調理動作を実行する。
調理メニューフラグＦ2 の内容が解凍調理を示す「１」になっている場合は、ステップ(ST21)で解凍調理が実行されると共に解凍調理が終了するまでの残時間が表示装置(21)に表示される。一方、解凍調理中に取消スイッチ(17)が操作されない場合はステップ(ST22)からステップ(ST23)に制御が進んで解凍調理が終了したか否かが判断される。解凍調理が終了すると、調理が終了したことを示す「０」の表示を表示装置(21)に表示させる（ステップ(ST24)）。
【００２１】
他方、既述ステップ(ST20)を実行したときに、調理メニューフラグＦ2 の内容があたため調理を示す「２」になっている場合は、ステップ(ST25)〜(ST27)で庫内(19)内の食材を加熱した後に、調理が終了したことを示す「０」の表示を表示装置(21)に表示させる（ステップ(ST24)）。又、既述ステップ(ST20)を実行したときに、調理メニューフラグＦ2 の内容が茹で物調理を示す「３」になっている場合は、ステップ(ST28)〜(ST30)で茹で物調理を行った後、調理が終了したことを示す「０」の表示を表示装置(21)に表示させる（ステップ(ST24)）。
【００２２】
このように、ステップ(ST20)〜(ST30)で各加熱調理を行った後、表示装置(21)に調理の終了を表示する。又、該調理の終了を表示した後にタイマー(T1)を「０」にセットする（ステップ(ST24)）。
次に、ステップ(ST31)でオーブンレンジの扉(10)が開放されるのを監視し、該扉(10)が開放されると、更にステップ(ST32)〜ステップ(ST34)で扉(10)が閉じられるのを５分間だけ監視する。そして、該５分間の間に扉(10)が閉じられるとステップ(ST35)で調理終了を示す既述「０」の表示を消灯させ、その後、ステップ(ST35a) で表示モードフラグＦ1 が「節電モード情報」を記憶しているか否かを判断し、該「節電モード情報」を記憶していない場合は、ステップ(ST36)で表示装置(21)に現在時刻を表示させる。
【００２３】
一方、ステップ(ST35a) を実行したときに、表示モードフラグＦ1 が「節電モード情報」を記憶している場合は、ステップ(ST35b) で表示用スイッチ(23)をＯＦＦにした後、ステップ(ST36)を実行し、制御装置(5) 内のマイクロコンピュータから現在時刻を示す信号を表示装置(21)に送信する。ところが、このときには、既にステップ(ST35b) で表示用スイッチ(23)がＯＦＦ状態に維持されて表示装置(21)が非通電状態になっているので、該表示装置(21)で現在時刻が表示されることはない。これにより、表示装置(21)が消灯状態に維持されて節電が図られる。そして、ステップ(ST36)を実行した後は、運転停止状態たる待機状態に維持され、図３のステップ(ST2) に制御が戻される。
【００２４】
一方、上記扉(10)が開放されてから５分の間に該扉(10)が閉じられないことがステップ(ST33)で確認されると、ステップ(ST38)に進んで表示モードフラグＦ1 が「節電モード情報」を記憶しているか否かを判断し、該「節電モード情報」を記憶している場合はステップ(ST39)で表示用スイッチ(23)をＯＦＦにした後、ステップ(ST39a) 以下の制御を実行する。即ち、制御装置(5) 内のマイクロコンピュータから表示装置(21)に現在時刻を示す信号を送信した後、再びステップ(ST2) に制御を戻して解凍スイッチ(25)，あたためスイッチ(26)及び茹で物スイッチ(27)が操作されるのを監視する。一方、上記表示モードフラグＦ1 が「表示モード情報」を記憶している場合は、ステップ(ST38)からステップ(ST39a) に進み、制御装置(5) 内のマイクロコンピュータから表示装置(21)に現在時刻を示す信号が送られ、その後、図３のステップ(ST2) に制御が戻される。即ち、表示用スイッチ(23)をＯＮ状態に維持したままで上記ステップ(ST2) に制御が戻される。
【００２５】
又、調理動作が終了してから５分を経過するまで上記扉(10)が開放されないことがステップ(ST37)で確認された場合も、上記ステップ(ST38)以下の制御が実行される。
尚、上記各加熱調理の進行中に取消スイッチ(17)が操作されて強制的に運転が中止されると、ステップ(ST22)(ST26)(ST29)からステップ(ST40)に進んで表示モードフラグＦ1 の内容が判断され、これが「節電モード情報」を記憶している場合は、ステップ(ST41)で表示用スイッチ(23)をＯＦＦ状態にし、逆に上記表示モードフラグＦ1 が「表示モード情報」を記憶している場合は、表示用スイッチ(23)をＯＮ状態に維持したままで、制御装置(5) 内のマイクロコンピュータから表示装置(21)に現在時刻を示す信号を送信（ステップ(ST41a) ）し、その後、図３のステップ(ST2) に制御が戻される。
【００２６】
次に、オーブンレンジの運転が行われていない待機時の制御を説明する。
待機時に解凍スイッチ(25)，あたためスイッチ(26)，茹で物スイッチ(27)のいずれのスイッチも操作されないことが図３のステップ(ST2) (ST4) (ST6) で確認されると、図４の制御が実行される。
即ち、ステップ(ST50)で表示モードフラグＦ1 の内容が判断され、該表示モードフラグＦ1 が「節電モード情報」を記憶していない場合（「表示モード情報」を記憶している場合）は、ステップ(ST51)でタイマー(T1)を「０」にセットする。そして、ステップ(ST52)(ST53)で取消スイッチ(17)（既述選択スイッチを構成する第１スイッチに対応する）が２秒間以上継続して投入操作されるか否かを監視し、取消スイッチ(17)が２秒間だけ継続操作されると、ステップ(ST54)で表示モードフラグＦ1 の内容を「節電モード情報」にすると共に、表示用スイッチ(23)をＯＦＦにし、これにより、表示装置(21)で表示している現在時刻（図３のステップ(ST1) と図５のステップ(ST36)(ST39a) (ST41a) で現在時刻を示す信号がマイクロコンピュータから表示装置(21)に送信されている）を消して節電を図る。一方、上記取消スイッチ(17)が２秒間継続操作されない場合は、図３のステップ(ST2) に制御が戻される。
【００２７】
又、上記ステップ(ST50)を実行したときに表示モードフラグＦ1 が「節電モード情報」を記憶している場合は、ステップ(ST50a) で表示用スイッチ(23)をＯＦＦにして表示装置(21)を非表示状態に維持し、その後、ステップ(ST55)に進んで時刻合わせスイッチ(31)（既述選択スイッチを構成する第２スイッチに対応する）が操作されたか否かを判断し、該時刻合わせスイッチ(31)が操作されると、表示モードフラグＦ1 の内容を「表示モード情報」にすると共に、表示用スイッチ(23)をＯＮ状態に維持し（ステップ(ST56)）、これにより、制御装置(5) 内のマイクロコンピュータから出力されている現在時刻を表示装置(21)に表示させる。
【００２８】
尚、本実施の形態では、「表示モードを選択する為の第２スイッチ」として機能する時刻合わせスイッチ(31)は、運転動作たる調理運転をさせる際には操作しないから、節電モードが誤って解除される心配が少ない。
［その他］
１．上記実施の形態では、本発明をオーブンレンジに適用した場合を例示したが、表示装置を具備するものであれば、種々の加熱調理器であれば適用することができる。
２．上記実施の形態では、表示装置(21)として蛍光表示管式のものを例示したが、該表示装置(21)として、発光ダイオードや液晶表示板式のものを採用できることはいうまでもない。
【図面の簡単な説明】
【図１】本発明の実施の形態を説明するオーブンレンジの正面図
【図２】上記オーブンレンジの制御回路の概略図
【図３】上記オーブンレンジの制御動作を説明するフローチャート
【図４】上記オーブンレンジの制御動作を説明するフローチャート
【図５】上記オーブンレンジの制御動作を説明するフローチャート
【符号の説明】
(12)・・・操作部
(15)・・・調理スタートスイッチ
(17)・・・取消スイッチ
(21)・・・表示装置
(31)・・・時刻合わせスイッチ
【図１】
0003795690.tif 000002
【図２】
0003795690.tif 000003
【図３】
0003795690.tif 000004
【図４】
0003795690.tif 000005
【図５】
0003795690.tif 000006